(57)【要約】      （修正有）【課題】患者等注入者の体重等が確認できればすぐに投薬量を決定し投与が行える注射器及びこれに貼着するラベルのプリンタを提供しようとすること。【解決手段】断面の形状が同一な筒状で長手方向に連続して形成された液体溜３を有し外面から該液体溜３が観察できるシリンジ２と、該シリンジ２の一方の開口端部に設けられ注射針取付自在にして液体溜内に液体を出入自在にする液体出入口４と、該シリンジ２の他方端から液体溜３に挿入されて液体溜内面と摺動自在なプランジャ５とを有する注射器１において、投薬を受ける患者等注入者独自の薬液投与量表示位置が示されるマーク７を含む表示部８が前記シリンジ２表面に設けられている。【選択図】図１
2007275609.tif 000002
【特許請求の範囲】
【請求項１】
断面の形状が同一な筒状で長手方向に連続して形成された液体溜を有し外面から該液体溜が観察できるシリンジと、該シリンジの一方の開口端部に設けられ注射針取付自在にして液体溜内に液体を出入自在にする液体出入口と、該シリンジの他方端から液体溜に挿入されて液体溜内面と摺動自在なプランジャとを有する注射器において、
注入対象者独自の注入量表示位置が示されるマークを含む表示部が前記シリンジ表面に設けらていることを特徴とする注射器。
【請求項２】
前記表示部のマークは注入対象者体重表示マークであり、当該表示マークの体重表示位置は該注入対象者体重に対応する注入量表示位置であることを特徴とする請求項１に記載の注射器。
【請求項３】
前記表示部のマークとなる注入対象者名位置は該注入対象者に対応する注入量表示位置であることを特徴とする請求項１に記載の注射器。
【請求項４】
前記表示部のマークは注入対象者の体重と年齢を表す注入対象者体重年齢表示マークであり、当該表示マークの体重年齢表示位置は該注入対象者の体重と年齢に対応する注入量表示位置であることを特徴とする請求項１に記載の注射器。
【請求項５】
前記マークを含む表示部は、シリンジ表面に貼着されたラベルであることを特徴とする請求項１乃至請求項４の内の何れかの請求項に記載の注射器。
【請求項６】
投薬を受ける注入対象者独自の薬物投与量に対応する位置をシリンジ上に表示するラベルを印字する印字手段を具備することを特徴とする請求項５に記載の注射器に貼付するラベルを印字するプリンタ。
【請求項７】
注入対象者の体重を入力する手段と、入力され注入対象者の体重に対応する薬物の投与量を演算する演算手段と、演算された薬物の投与量と該投与量に対応する位置をシリンジ上に表示するラベルを印字する印字手段と、を具備することを特徴とする請求項５に記載の注射器に貼付するラベルを印字するプリンタ。
【請求項８】
注入対象者の体重と氏名を入力する手段と、入力された注入対象者の体重に対応する薬物の投与量を演算する演算手段と、演算された薬物の投与量と該投与量に対応する位置と注入対象者氏名をシリンジ上に表示するラベルを印字する印字手段と、を具備することを特徴とする請求項５に記載の注射器に貼付するラベルを印字するプリンタ。
【請求項９】
注入対象者の体重と年齢を入力する手段と、入力された注入対象者の体重と年齢に対応する薬物の投与量を演算する演算手段と、演算された薬物の投与量と該投与量に対応する位置をシリンジ上に表示するラベルを印字する印字手段と、を具備することを特徴とする請求項５に記載の注射器に貼付するラベルを印字するプリンタ。
【請求項１０】
断面の形状が同一な筒状で長手方向に連続して形成された液体溜を有し外面から該液体溜が観察できるシリンジと、該シリンジの一方の開口端部に設けられ注射針取付自在にして液体溜内に液体を出入自在にする液体出入口と、該シリンジの他方端から液体溜に挿入されて液体溜内面と摺動自在なプランジャとを有する注射器のシリンジ表面に貼着するラベルであって、
注入対象者独自の注入量表示位置が示されるマークを含む表示部を有するラベル。
【請求項１１】
前記表示部のマークは注入対象者体重表示マークであり、当該表示マークの体重表示位置は該注入対象者体重に対応する注入量表示位置であることを特徴とする請求項１０に記載のラベル。
【請求項１２】
前記表示部のマークとなる注入対象者名位置は該注入対象者に対応する注入量表示位置であることを特徴とする請求項１０に記載のラベル。
【請求項１３】
前記表示部のマークは注入対象者の体重と年齢を表す注入対象者体重年齢表示マークであり、当該表示マークの体重年齢表示位置は該注入対象者の体重と年齢に対応する注入量表示位置であることを特徴とする請求項１０に記載のラベル。
【発明の詳細な説明】
【技術分野】
【０００１】
本発明は、注射器の構造に関し、特に、使用時に薬物の投与量計算を行う必要がない注射器に関する。
【背景技術】
【０００２】
薬物は、その投与量の設定に当たり患者の体重をその基準におくことが多い。また、一部の薬物では年齢と体重によりその使用量が制限されているものもある。従って、臨床現場においては、その薬物を注射として使用する際に総投与量を予め計算し、その必要量を注射用シリンジにて計測し、投薬が行われている。
【０００３】
具体的な事例で示せば、以下のようになる。投与する薬物を例えばＡ薬物とし、このＡ薬物１ｇは生理食塩水２０ｍｌに溶解希釈し体重ｋｇ当たり５ｍｇ投与する、とする。例えば、患者の体重が６０ｋｇとすると、この患者に必要な投与薬物量は、６０ｋｇ×５ｍｇ＝３００ｍｇとなる。生理食塩水で溶解した２０ｍｌがＡ薬物１０００ｍｇとなることより２０ｍｌの（３００／１０００）すなわち６ｍｌを投与することになる。
【発明の開示】
【発明が解決しようとする課題】
【０００４】
従来では、患者等注入対象者に対する薬物の投与に当たって、上記のように、予め、臨床現場において、総投与量を計算し、その後生理食塩水で溶解した注射用シリンジ２０ｍｌの内６ｍｌを投与していた。このように、従来は臨床現場で医療看護に当たるものがいちいち面倒な薬物投与量の計算を行っていたので、医療作業が複雑になりかつ長時間を要するほか、計算間違いによる医療ミスを引き起こす機会が多かった。そこで、本発明はこのような従来の欠点を改善しようとするものであって、その目的は、患者等の注入対象者の体重等が確認できればすぐに投薬量を決定し投与が行える注射器及びこれに貼着するラベルのプリンタを提供しようとするものである。
【課題を解決するための手段】
【０００５】
現在臨床現場で使用されている注射器は、すべて用量を示すｍｌ（ミリリットル）表示となっている。前記のように、実際に使用される状況においては、患者等の注入対象者の体重あたり薬物量何ｍｇ（ミリグラム）もしくは何ｍｌを使用するとの表示の薬物が多い。そこで、上記Ａ薬物に例を取れば、Ａ薬の規格が１ｇであり、２０ｍｌ生理食塩水で溶解することが確実であれば、シリンジ１ｍｌ当たり体重１０ｋｇの比率で作成したラベルを注射器に貼付し、体重６０ｋｇの患者等の注入対象者にＡ薬物を投与する場合、注射器目盛りで６０ｋｇの位置まで薬物を吸入し、患者等の注入対象者に投与する。上記から分かるように、本発明の注射器には、用量目盛りの代わりに体重目盛りをふり、患者等の体重に会わせた投与量を示すようにする。そのために薬物は一定の濃度にし、シリンジ目盛りに併せる設計か、若しくは特定の薬物には専用のシリンジ設定が必要である。上記注射器へのラベルの貼着は簡便方法であるが、製薬会社で注射器を製造する場合、使用薬品との組み合わせを行い、シリンジ表面に該薬品特有のラベルを刻設するとよい。
【０００６】
このことを踏まえ、本発明の目的を達成するため、本願の請求項１に記載の発明は、断面の形状が同一な筒状で長手方向に連続して形成された液体溜を有し外面から該液体溜が観察できるシリンジと、該シリンジの一方の開口端部に設けられ注射針取付自在にして液体溜内に液体を出入自在にする液体出入口と、該シリンジの他方端から液体溜に挿入されて液体溜内面と摺動自在なプランジャとを有する注射器において、注入対象者独自の注入量表示位置が示されるマークを含む表示部が前記シリンジ表面に設けらていることを特徴とする注射器を提供する。本願の請求項２に係る発明は、請求項１に記載の発明に加えて、前記表示部のマークは注入対象者体重表示マークであり、当該表示マークの体重表示位置は該注入対象者体重に対応する注入量表示位置であることを特徴とする注射器を提供する。本願の請求項３に係る発明は、請求項１に記載の発明に加えて、前記表示部のマークとなる注入対象者名位置は該注入対象者に対応する注入量表示位置であることを特徴とする注射器を提供する。本願の請求項４に係る発明は、請求項１に記載の発明に加えて、前記表示部のマークは注入対象者の体重と年齢を表す注入対象者体重年齢表示マークであり、当該表示マークの体重年齢表示位置は該注入対象者の体重と年齢に対応する注入量表示位置であることを特徴とする注射器を提供する。本願の請求項５に係る発明は、請求項１乃至請求項４の内の何れかの請求項に記載の発明に加えて、前記マークを含む表示部は、シリンジ表面に貼着されたラベルであることを特徴とする注射器を提供する。本願の請求項６に係る発明は、投薬を受ける注入対象者独自の薬物投与量に対応する位置をシリンジ上に表示するラベルを印字する印字手段を具備することを特徴とする請求項５に記載の注射器に貼付するラベルを印字するプリンタを提供する。本願の請求項７に係る発明は、注入対象者の体重を入力する手段と、入力された注入対象者の体重に対応する薬物の投与量を演算する演算手段と、演算された薬物の投与量と該投与量に対応する位置をシリンジ上に表示するラベルを印字する印字手段と、を具備することを特徴とする請求項５に記載の注射器に貼付するラベルを印字するプリンタを提供する。本願の請求項８に係る発明は、注入対象者の体重と氏名を入力する手段と、入力された注入対象者の体重に対応する薬物の投与量を演算する演算手段と、演算された薬物の投与量と該投与量に対応する位置と注入対象者氏名をシリンジ上に表示するラベルを印字する印字手段と、を具備することを特徴とする請求項５に記載の注射器に貼付するラベルを印字するプリンタを提供する。本願の請求項９に係る発明は、注入対象者の体重と年齢を入力する手段と、入力された注入対象者の体重と年齢に対応する薬物の投与量を演算する演算手段と、演算された薬物の投与量と該投与量に対応する位置をシリンジ上に表示するラベルを印字する印字手段と、を具備することを特徴とする請求項５に記載の注射器に貼付するラベルを印字するプリンタを提供する。
【発明を実施するための最良の形態】
【０００７】
次に本発明の一実施の形態を、図面を用いて詳細に説明する。これを図１を用いて詳しく説明する。図１は本発明に係る注射器の正面図である。図１において、１は注射器で、シリンジ２を有する。シリンジ１は透明又は半透明のガラス又は合成樹脂から作られ、断面の形状が同一な筒状で長手方向に連続して形成された液体溜３を有し外面から該液体溜３が観察できる。該シリンジ１の一方の開口端部には注射針取付自在にして液体溜３内に液体を出入自在にする液体出入口４が形成されている。シリンジ１の他方端から液体溜３に挿入されて液体溜３内面と摺動自在なプランジャ５が該液体溜３内に挿入されている。シリンジ１の表面には、対応薬品名６と体重目盛り７が表示されている表示部８が設けられている。この体重目盛り７の各位置は、投薬を受ける患者独自の薬液投与量表示位置となるマークである。
【０００８】
次に表示部の表示方法について、上記段落０００３に示す具体的な事例で説明する。投与するＡ薬物１ｇは生理食塩水２０ｍｌに溶解希釈し体重ｋｇ当たり５ｍｇ投与する、とする。例えば、患者の体重が６０ｋｇとすると、この患者に必要な投与薬物量は、６０ｋｇ×５ｍｇ＝３００ｍｇとなる。生理食塩水で溶解した２０ｍｌがＡ薬物１０００ｍｇとなることより２０ｍｌの（３００／１０００）すなわち６ｍｌを投与することになる。よって、表示部８の体重目盛り７は、液体溜３の１ｍｌの用量毎に体重１０ｋｇの目盛りをふればよい。上記の算出された投与薬品溶解液には、患者の年齢が加味されていない。必要によっては、年齢による補正値たとえば、小児０．５、成人１．０，老人０．７のような計数値を用い、この計数値を算出された投与薬品溶解液量に掛けて投薬量を決定してもよい。本発明は、簡便性と適正な投薬量を確実に投薬できるところにメリットがある。緊急性が高い薬物や投薬量計算が複雑である薬物はあらかじめ上記体重に対する投与量の計算を行っておき、更に注射器のラベル設計も行っておけば、計量しにくい用量であっても体重当たりの目盛りを参照して適切な投与が可能になる。また、薬物製造時に内容量規格に則った添付の溶解液までを体重当たりの投与量が記入された注射器につけてキット化して販売すれば、これまた計量しにくい用量であっても体重当たりの目盛りを参照して適切な投与が可能になる。
【０００９】
次に、突発性事故の発生等で、患者に対し緊急的に薬物を投与しなければならないところ、上記のような本発明に係る注射器が用意されていない場合の緊急対策について説明する。まず、次のようなラベルのプリンタを用意する。すなわち、このプリンタ１０は、図２に示すように、中央処理装置１１を中心として、薬品名を記入したキーを有する入力装置１２、各薬品名に対応する、患者等注入対象者の体重１ｋｇ当たりの投与薬品溶解液量を示すデータが記憶されているマップデータを記憶しているとともに、使用される注射器の構造データを記憶しているメモリ１３、中央処理装置１１の処理途中経過や計算結果等を一時記憶しておくＲＡＭ１４、ラベルを印刷する印字部１５を有する。
【００１０】
入力装置１２は、図３に示すように、薬品名が記入された複数個のキー１６を有する。これらキー１６に表示する薬品名の配列については、医療ミスを避けるために紛らわしい薬品名や作用の異なる薬品名を近接して配置しない等の注意が必要である。前記のごとく、メモリ１３は図４（１）に示すような状態で、入力装置１２に表示された複数個の薬品名に対応した、薬液希釈量、患者等注入対象者の体重１ｋｇ当たりの投与薬品量を示すデータが記憶されている。
【００１１】
メモリ１３から読み出されたデータは中央処理装置１１に送られる。ここでは、図４（２）に示すデータの中から使用される注射器の例えばシリンジ１ｍｍ当たり  ０．１ｍｌのような構造データが読み出されていて、送られてきた当該薬品の患者等注入対象者の体重１ｋｇ当たりの薬品溶解液量データを基に、シリンジ内に吸入する溶解液薬品量に対応する患者等注入対象者の体重を示すプリントデータを作成し、このデータは印字部１５に送られる。印字部１５では中央処理装置１１から送られてきたプリントデータを用いて、ラベルを印刷する。
【００１２】
印刷されたラベルは医療担当者により取り出され、所定の方法で正確にシリンジ表面に貼着された後、投与薬品溶解液がラベル上に表示された患者等注入対象者の体重位置まで吸入され、患者等注入対象者に投与される。なお、印刷されたラベルをシリンジ表面に正確に貼着する事は、かなりの熟練を要する。そこでプリンタにシリンジを正確に位置決めしてセットし、これに印字されたラベルの貼着面に対して例えばシリンジを回転させて自動的に貼着するように構成すれば、ラベルを正確に且つ迅速に添付することができる。
【００１３】
通院している患者や入院中の患者には診療経過や病症が記載されたカルテが発行されていて、このカルテの中に患者自身の体重や年齢が記録されている。このカルテ内に記録されている個人情報を使用して、定期的に行われる診療の前に、予めラベルを貼着した注射器を用意しておき、診察時に注射器に薬液を吸入し、患者に投与すると便利である。このような場合、プリンタ１０の入力装置１２にパソコン用キーボードを接続して文字データの入力も可能にしておき、入力装置１２から患者の氏名、体重を入力できるように構成する。これら入力されたデータに基づきメモリ１３から中央処理装置１１に読み出された患者の体重１ｋｇ当たりの投与薬品溶解液量を示すデータに患者の体重を掛け、シリンジ内に吸入する必要溶解液薬品量の位置を示すプリントデータが作成され、このデータは印字部１５に送られる。印字部１５では中央処理装置１１から送られてきたプリントデータを用いて、特定患者に対するラベルを印刷する。また必要あれば特定患者の氏名や投与薬品名をラベルに印字してもよい。もちろん、この装置は、扱う薬品を単品に限ることはなく、上記のようにメモリ１３内に複数種類の薬品データを記憶させて、複数種類の薬品に対応するラベルを作成することもできる。
【００１４】
本発明を上述の実施の形態により説明したが、上記実施の形態のように、患者に対する薬物の投与に限らず、栄養剤の投与や、輸血に対しても本発明を適用することができる。また、たとえば、上記実施の形態のように、ラベルを印刷してこれを注射器に貼着するような方式の代わりに、製薬会社で注射器を製造する際に注射器の表面に直接ラベルを刻設するなど、本発明の主旨の範囲内で種々の変形や応用が可能であり、これらの変形や応用を本発明の範囲から排除するものではない。
【００１５】
［発明の効果］
以上詳細に説明したように、本願の請求項１に記載の発明は、薬物を受ける注入対象者独自の投与量表示位置が示されるマークを含む表示部が前記シリンジ表面に設けらているので、従来のように、その投薬量設定計算をなくし、より迅速にしかも投与量計算の間違いを無くすることができる。特に投薬の緊急性を要する薬物にはこの簡便性は大きなメリットである。本願の請求項２に係る発明は、請求項１に記載の発明に加えて、前記表示部のマークは注入対象者体重表示マークであり、当該表示マークの体重表示位置は該注入対象者体重に対応する薬液投与量表示位置であるので、薬物投与に当たって、注入対象者の体重を調べて、プランジャの先端を注入対象者の体重位置に来るまで薬物を吸入し、注入対象者に投与すればよいので、投与が正確且つより簡単になる。
【００１６】
本願の請求項３に係る発明は、請求項１に記載の発明に加えて、前記表示部のマークとなる注入対象者名位置は該注入対象者体重に対応する薬液投与量表示位置であるので、薬物投与に当たって、注入対象者の名前だけ確認し、その名前と表示部に表示してある注入対象者名とを会わせ、且つプランジャの先端がその注入対象者名位置に来るまで薬物を吸入し、注入対象者に投与すればよいので、投与が正確且つより簡単になる。本願の請求項４に係る発明は、請求項１に記載の発明に加えて、前記表示部のマークとなる注入対象者の体重と年齢を表す注入対象者体重年齢表示位置は該注入対象者自身の薬液投与量表示位置であるので、薬物投与に当たって、プランジャの先端がその注入対象者体重年齢表示位置に来るまで薬物を吸入し、注入対象者に投与すればよいので、投与が正確且つより簡単になる。本願の請求項５〜請求項９に係る発明は、請求項５に記載の発明における注射器に貼着するラベルのプリンタであって、薬物の投与量とに対応する位置をシリンジ上に表示するラベルを印字する印字手段を具備しているので、病院等の臨床現場でシリンジに貼着するラベルを簡単に作成することができる。
【図面の簡単な説明】
【００１７】
【図１】図１は、本発明に係る注射器の正面図である。
【図２】図２は、本発明に係るプリンタのブロック図である。
【図３】図３は、本発明に係るプリンタのメモリ内部を示すテーブル図である。
【図４】図４は、本発明に係るプリンタの入力装置を示す正面図である。
【符号の説明】
【００１８】
１・・・・・注射器
２・・・・・シリンジ
３・・・・・液体溜
４・・・・・液体出入口
５・・・・・プランジャ
６・・・・・対応薬品名
７・・・・・体重目盛り
８・・・・・表示部
１０・・・・・プリンタ
１１・・・・・中央処理装置
１２・・・・・入力装置
１３・・・・・メモリ
１４・・・・・ＲＡＭ
１５・・・・・印字部
１６・・・・・キー
【図１】
2007275609.tif 000003
【図２】
2007275609.tif 000004
【図３】
2007275609.tif 000005
【図４】
2007275609.tif 000006